(57)【要約】      （修正有）【課題】煩雑さを感じることなく、高く澄んだチーンという音が得られるようにした墓所用仏鈴を提供する。【解決手段】墓所にて仏鈴を打叩するのに適した墓所用仏鈴において、前面と背面が開放された函状をなし、その平面形状が仏鈴の平面形状を覆う大きさであり、打叩時の仏鈴の音を内面で反射させて前方及び後方に伝播させ得る基台２１と、基台内の底部に固定された鈴台２２とを設ける。さらに該鈴台に保持され、基台の上部によって覆われた仏鈴２３と、鈴台にチェーン２４又は紐によって係止され、仏鈴を叩くことのできるりん棒２５と、を備えて墓所用仏鈴２０を構成する。【選択図】図２
0003170914.tif 000002
【実用新案登録請求の範囲】
【請求項１】
墓所にて仏鈴を打叩するのに適した墓所用仏鈴において、
前面と背面が開放された函状をなし、その平面形状が仏鈴（２３）の平面形状を覆う大きさであり、打叩時の仏鈴（２３）の音を内面で反射させて前方及び後方に伝播させ得る基台（２１）と、該基台（２１）内の底部に固定された鈴台（２２）と、該鈴台（２２）に保持され、上記基台（２１）の上部によって覆われた仏鈴（２３）と、上記鈴台（２１）にチェーン（２４）又は紐によって係止され、上記仏鈴（２３）を叩くことのできるりん棒（２５）と、を備えたことを特徴とする墓所用仏鈴。
【請求項２】
上記基台（２１）及び鈴台（２２）が御影石で形成されている請求項１記載の墓所用仏鈴。
【請求項３】
上記基台２１が矩形環状に形成されている請求項１記載の墓所用仏鈴。
【考案の詳細な説明】
【技術分野】
【０００１】
本考案は墓所用仏鈴に関し、特に煩雑さを感じることなく、高く澄んだチーンという音が得られるようにした仏鈴に関する。
【背景技術】
【０００２】
仏鈴は仏鈴布団上に載せられて仏壇の前に置かれることが多い。仏事供養にあたっては仏鈴はりん棒によって叩かれて高く澄んだチーンという音を発生し、これによって厳粛な気持ちでお参りすることができる。
【０００３】
お墓参りでは墓前に生花、水、線香などを供え、両手を合わせるが、墓前で仏鈴を鳴らすことは少ない。これは、仏鈴、りん棒、仏鈴布団が持ち運びにくく、持ち運んでいるときに落として仏鈴が破損することが懸念されること、及び墓前では仏鈴布団を安定して置ける場所が少なく、仏鈴布団を手の平に載せその上に仏鈴を置いて鳴らしても、よい音が出にくいからと考えられる。
【０００４】
これに対し、仏鈴をケース内に吊り下げ、ケースを閉じて携帯し、ケースを開いてりん棒で叩けるようにした仏鈴携帯具が提案されているが（特許文献１）、墓所まで携帯するのが煩わしい。
【０００５】
他方、墓石の台石に横穴を穿設し、仏鈴を横穴内の天井面から吊り下げ、横穴内の底面には挿入穴を穿設してりん棒を挿入するようにした墓所用仏鈴が提案されている（特許文献２）。また、台石に仏鈴を載置し、その上から蓋を被せるようにした墓所用仏鈴も提案されている（特許文献３）。
【０００６】
さらに、側面開口から蝋燭を差し込んで立て、フードで風よけを行うようにした蝋燭立てにおいて、頂部に凹部を形成する一方、ベース台には仏鈴を保持し、通常は仏鈴が凹部内に収納されるようにベース台を凹部に嵌め込み、お墓参りのときにはベース台を凹部から抜き、ひっくり返して凹部に嵌め込むことによって、仏鈴をりん棒で叩けるようにした墓所用仏鈴が提案されている（特許文献４）。
【先行技術文献】
【特許文献】
【０００７】
【特許文献１】特開２００２−１２５８４３号公報
【特許文献２】実開昭５６−６１６４６号公報
【特許文献３】実開昭６３−１６４７９９号公報
【特許文献４】特開２０１０−５３５６０号公報
【考案の概要】
【考案が解決しようとする課題】
【０００８】
しかし、特許文献２記載の墓所用仏鈴では横穴内に仏鈴を吊り下げているので、音がこもってしまい、本来の高く澄んだチーンという音が得られ難い。
【０００９】
また、特許文献３記載の墓所用仏鈴ではお墓参りの都度、蓋を取り外し、使った後は蓋を元に戻す必要があって、煩わしい。
【００１０】
さらに、特許文献４記載の墓所用仏鈴ではお墓参りの都度、ベース台をひっくり返し、使った後はベース台を元に戻す必要があって、これも煩わしい。
【００１１】
本考案はかかる問題点に鑑み、煩雑さを感じることなく、高く澄んだチーンという音が得られるようにした墓所用仏鈴を提供することを課題とする。
【課題を解決するための手段】
【００１２】
そこで、本考案に係る墓所用仏鈴は、墓所にて仏鈴を打叩するのに適した墓所用仏鈴において、前面と背面が開放された函状をなし、その平面形状が仏鈴の平面形状を覆う大きさであり、打叩時の仏鈴の音を内面で反射して前方及び後方に伝播させ得る基台と、該基台内の底部に固定された鈴台と、該鈴台に保持され、上記基台の上部によって覆われた仏鈴と、上記鈴台にチェーン又は紐によって係止され、上記仏鈴を叩くことのできるりん棒と、を備えたことを特徴とする。
【００１３】
本考案の特徴の１つは基台を前面及び背面が開口された函状とし、基台内に鈴台を固定し、鈴台に仏鈴を保持するようにした点にある。
【００１４】
これにより、函状の基台の前面と背面を開放しているので、りん棒で仏鈴を叩いたときに仏鈴から発した音は基台内でこもることはなく、基台の内面で反射されて前方及び後方に伝搬される結果、仏鈴本来の高く澄んだチーンという音を得ることができる。
【００１５】
また、基台は仏鈴の上側を覆い、仏鈴の庇として働くので、仏鈴に雨水が吹き込んで長期間の間溜まって錆を発生させることはなく、仏鈴の耐久性を低下させることがない。
【００１６】
さらに、基台を前面及び背面を開口させた函状に製作すればよいので、製造がコスト高になることもない。基材の材料は特に限定されず、金属材料、合成樹脂材料あるいはセラミックス材料でもよいが、墓所の雰囲気を考慮すると、墓石と同様の石材を用いるのがよい。
【００１７】
仏鈴の材料は特に限定されず、公知の材料、例えば銅合金で製造することができる。鈴台は金属製でもよいが、屋外で使用されることを考慮すると石材で製造するのがよい。
【図面の簡単な説明】
【００１８】
【図１】本考案に係る墓所用仏鈴の好ましい実施形態を備えた墓石の全体を示す斜視図である。
【図２】上記墓所用仏鈴を示す斜視図である。
【考案を実施するための形態】
【００１９】
以下、本考案を図面に示す具体例に基づいて詳細に説明する。図１及び図２は本考案に係る墓所用仏鈴の好ましい実施形態を示す。図において、墓石１０は御影石製の棹石１１、上台１２、下台１３及び四つ石１４から構成され、四つ石１４内にはカロート（図示せず）が形成され、又四つ石１４上には水鉢１５、中台１６及び左右の花立１７が配置され、カロートは中台１６によって封鎖されている。
【００２０】
また、一方の花立１７の前方には本例の墓所用仏鈴２０が載置され、例えばセメントを水だけで練ったノロによって固定されている。
【００２１】
墓所用仏鈴２０には御影石製の基台２１が設けられている。この基台２１は前面及び背面が開放された矩形環状（函状）をなし、基台２１の底面中央にはこれも御影石製の鈴台２２が固定され、鈴台２２には弾性部材（図示せず）を介して銅合金製の仏鈴２３が保持され、又鈴台２２にはチェーン２４によってりん棒２５が係止されている。
【００２２】
ここで、基台２１の平面形状は仏鈴２３の平面形状を覆う大きさに設定され、仏鈴２３に雨水が吹き込むのを防止するようになっている。
【００２３】
お墓参りをする場合、墓前に生花、水、線香などを供えるとともに、りん棒２５を持って仏鈴２３を叩き、りん棒２５を仏鈴２３の傍に置き、両手を合わせてお参りをする。
【００２４】
このとき、基台２１の前面と背面が開放されているので、りん棒２５で仏鈴２３を叩くと、仏鈴２３から発した音は基台２１内でこもることはなく、基台２１の内面で反射されて前方及び後方に伝搬され、仏鈴２３の本来の高く澄んだチーンという音を得ることができ、厳粛な気持ちでお参りをすることができる。
【００２５】
また、りん棒２５を基台２１から抜いて仏鈴２３を叩いて仏鈴２３の傍に置けばよいので、特許文献３、４記載の墓所用仏鈴のような煩わしさはない。
【符号の説明】
【００２６】
１０      墓石
２０      墓所用仏鈴
２１      基台
２２      鈴台
２３      仏鈴
２４      チェーン
２５      りん棒
【図１】
0003170914.tif 000003
【図２】
0003170914.tif 000004